(57)【要約】【課題】ゴルフスイングを安定させうるゴルフ靴の提供。【解決手段】靴１は、靴底３とアッパー５とを備えている。靴底３は、アウトソール７と補強部材１１とを有している。補強部材１１は、靴底３の土踏まず部に設けられている。補強部材１１は、インサイド踵側からアウトサイドつま先側に向かって延びる第一リブＲ１と、アウトサイド踵側からインサイドつま先側に向かって延びる第二リブＲ２と、靴底３のインサイドの側面に配置されたインサイド補強部２１と、靴底３のアウトサイドの側面に配置されたアウトサイド補強部２３とを有している。第一リブＲ１と第二リブＲ２とは、交差している。インサイド補強部２１は、第一リブＲ１の後端Ｔ１の上方に存在している。アウトサイド補強部２３は、第二リブＲ２の後端Ｔ２の上方に存在している。靴１は、ゴルフ靴である。【選択図】図３
2010094354.tif 000002
【特許請求の範囲】
【請求項１】
靴底とアッパーとを備え、
上記靴底が、アウトソールと補強部材とを有し、
上記補強部材が、靴底の土踏まず部に設けられており、
上記補強部材が、インサイド踵側からアウトサイドつま先側に向かって延びる第一リブと、アウトサイド踵側からインサイドつま先側に向かって延びる第二リブと、靴底のインサイドの側面に配置されたインサイド補強部と、靴底のアウトサイドの側面に配置されたアウトサイド補強部とを有し、
上記第一リブと上記第二リブとが交差しており、
上記インサイド補強部が、上記第一リブの後端の上方に存在し、
上記アウトサイド補強部が、上記第二リブの後端の上方に存在しているゴルフ靴。
【請求項２】
上記第一リブが、上記第二リブよりも太い請求項１に記載のゴルフ靴。
【請求項３】
上記インサイド補強部が、上記アッパーのインサイドに存在し、  
上記アウトサイド補強部が、上記アッパーのアウトサイドに存在し、
上記アウトサイド補強部と上記アッパーとの接触面積がＳ１とされ、上記インサイド補強部と上記アッパーとの接触面積がＳ２とされるとき、Ｓ１がＳ２よりも大きい請求項１又は２に記載のゴルフ靴。
【発明の詳細な説明】
【技術分野】
【０００１】
本発明は、ゴルフ靴に関する。
【背景技術】
【０００２】
ゴルフ靴は、ゴルフスイングに影響しうる。例えば、滑りやすいゴルフ靴は、不安定なスイングを招く。不安定なスイングは、ショットに悪影響を与える。安定性が高いゴルフ靴は、スイングの安定に寄与しうる。
【０００３】
土踏まず部等の補強により、スイングの安定に寄与しうるゴルフ靴が提案されている。特開２００１−２１８６０３号公報は、土踏まず部等に硬質弾性体からなる安定板を備えた靴底を開示する。特開２００５−１４３６５４号公報は、土踏まず部と踵部とを備えた安定板を開示する。
【特許文献１】特開２００１−２１８６０３号公報
【特許文献２】特開２００５−１４３６５４号公報
【発明の開示】
【発明が解決しようとする課題】
【０００４】
本発明者は、スイングとゴルフ靴との関係について詳細に検討した。右足及び左足のそれぞれについて、スイング中における動きが考察された。その結果、新たな技術思想に基づき、スイングの安定性を高めうるゴルフ靴を得るに至った。
【０００５】
本発明の目的は、スイングの安定性に寄与しうるゴルフ靴の提供にある。
【課題を解決するための手段】
【０００６】
本発明に係る靴は、靴底とアッパーとを備えている。上記靴底は、アウトソールと補強部材とを有している。上記補強部材は、靴底の土踏まず部に設けられている。上記補強部材は、インサイド踵側からアウトサイドつま先側に向かって延びる第一リブと、アウトサイド踵側からインサイドつま先側に向かって延びる第二リブと、靴底のインサイドの側面に配置されたインサイド補強部と、靴底のアウトサイドの側面に配置されたアウトサイド補強部とを有している。上記第一リブと上記第二リブとは交差している。上記インサイド補強部は、上記第一リブの後端の上方に存在している。上記アウトサイド補強部は、上記第二リブの後端の上方に存在している。この靴は、ゴルフ靴である。
【０００７】
好ましくは、上記第一リブは、上記第二リブよりも太い。
【０００８】
好ましくは、上記インサイド補強部が上記アッパーのインサイドに存在し、上記アウトサイド補強部が上記アッパーのアウトサイドに存在する。好ましくは、上記アウトサイド補強部と上記アッパーとの接触面積がＳ１とされ、上記インサイド補強部と上記アッパーとの接触面積がＳ２とされるとき、Ｓ１がＳ２よりも大きい。
【発明の効果】
【０００９】
互いに交差する第一リブ及び第二リブにより、靴底のねじれ剛性が適度に向上する。互いに交差する第一リブ及び第二リブにより、スイングが安定しうる。インサイド補強部及びアウトサイド補強部により、使用者の踵付近が安定し、スイングが安定しうる。
【発明を実施するための最良の形態】
【００１０】
以下、適宜図面が参照されつつ、好ましい実施形態に基づいて本発明が詳細に説明される。なお、本願において、「上」は、接地面を下側として靴を水平面上に載置した場合における上を意味する。また「下」は、接地面を下側として靴を水平面上に載置した場合における下を意味する。また本願において、前側とはつま先側と同じ意味であり、後側とは踵側と同じ意味である。
【００１１】
図１及び図２は、本発明の一実施形態に係る靴１が示された図である。図１は、アウトサイドから見た図である。図２は、インサイドから見た図である。この靴１は、ゴルフ靴である。図３は、靴１を底面側から見た図である。
【００１２】
図１、図２及び図３は、左足用の靴１に関する図である。右足用の靴１における接地面の形状は、図３の鏡像である。
【００１３】
この靴１は、靴底３とアッパー５とを備えている。靴底３は、アウトソール７とミッドソール９と補強部材１１とを備えている。
【００１４】
図３において符号Ｌ１で示されているのは、長さ線Ｌ１の両端を延長した線である。この長さ線Ｌ１は、靴底３の底面の輪郭内に画かれうる線分のうちで最長のものである。この長さ線Ｌ１の方向が、前後方向とされうる。
【００１５】
アウトソール７は、接地面を有する。接地面は、アウトソール７の底面である。靴１の使用状態における下面が、接地面である。
【００１６】
アウトソール７は、分割されている。アウトソール７は、つま先側に位置する前方分割体７ａと、踵側に位置する後方分割体７ｂとからなる（図３参照）。前方分割体７ａは、補強部材１１のつま先側に位置する。後方分割体７ｂは、補強部材１１の踵側に位置する。靴１の接地面は、前方分割体７ａ、補強部材１１及び後方分割体７ｂにより構成されている。
【００１７】
図３が示すように、補強部材１１は、靴底３の土踏まず部に設けられている。補強部材１１の少なくとも一部が土踏まず部に配置されている。補強部材１１は、土踏まず部よりもつま先側に延在している。補強部材１１は、土踏まず部よりも踵側に延在している。
【００１８】
図４は、補強部材１１が単独で示された図である。図４は、左足用の靴１の補強部材１１である。右足用の靴１における補強部材１１の形状は、図４の鏡像である。
【００１９】
図５は、図３のＶ−Ｖ線に沿った靴底３の断面図である。図６は、図３のVI−VI線に沿った靴底３の断面図である。図７は、図３のVII−VII線に沿った靴底３の断面図である。図８は、図３のVIII−VIII線に沿った靴底３の断面図である。図８は、VIII−VIII線に沿った断面の一部のみを示す。この図８は、補強部材１１近傍の断面のみを示す。なお図５では、鋲（後述される鋲１３及び鋲１７）の記載が省略されている。
【００２０】
図３が示すように、アウトソール７には、複数の突起１５が設けられている。突起１５は、下方に向かって突出している。突起１５は、靴１の防滑性能を高める。
【００２１】
アウトソール７は、着脱可能な鋲１３を有している。またアウトソール７は、鋲１３を取り付けるための台座１６を有している（図５参照）。台座１６は、ねじ穴１６ａを有している。鋲１３は、台座１６にねじ込まれて、固定される。
【００２２】
鋲１３は、下方に向かって突出している。本実施形態では、６個の鋲１３が設けられている。図１及び図２が示すように、この鋲１３は、突起１５よりも下方に突出している。
【００２３】
アウトソール７の材質は、特に制限されない。アウトソール７の材質として、ゴム、合成樹脂、熱可塑性エラストマー等が例示される。装着者の動的荷重を受け止めうるようにする目的で、アウトソール７には、強度と耐摩耗性とが求められる。この観点から、アウトソール７は、気泡を有さない非多孔質の材質とされている。換言すれば、アウトソール７は、無発泡体とされている。好ましいアウトソール７の材質として、いわゆるソリッドのゴム又は樹脂からなる組成物が用いられうる。好ましいアウトソール７の材質として、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）、ウレタンゴム、熱可塑性樹脂とゴムの複合エラストマーが例示される。これらの２種以上が併用されてもよい。クッション性及び屈曲性の観点から、アウトソール７の材質として、加硫されたゴムが最も好ましい。
【００２４】
アウトソール７の硬度は、デュロメーターＡ硬度で４０以上であることが好ましい。硬度が低すぎると、着用者の歩行にふらつき感を生じるおそれがある。この観点から、アウトソール７の硬度は５０以上がより好ましく、さらに６０以上が好ましく、特に７０以上であることが好ましい。また硬度が高すぎると、歩行のために必要な屈曲性が低下しうる。また硬度が高すぎると、踵部でのクッション性が不足しやすい。これらの観点からアウトソール７の硬度は、８５以下が好ましく、８０以下がより好ましい。本願において、デュロメーターＡ硬度は、ＪＩＳ−Ｋ６２５３に準拠して測定される。
【００２５】
ミッドソール９は、発泡体よりなる。ミッドソール９は、全体として一体成形されており、分割されていない。ミッドソール９の材質は、エチレン−酢酸ビニル共重合体（以下「ＥＶＡ」という）である。このポリマーを基材として、発泡剤又は微少中空球（「マイクロバルーン」等と称される）等の配合されたＥＶＡ組成物がミッドソール９用として用いられる。生産性を高める観点から、ミッドソール９の材質は、熱可塑性であるのが好ましい。発泡体のミッドソール９は、スポンジ状である。ミッドソール９は、柔軟性がある。ミッドソール９が発泡体とされることにより、靴底３の衝撃吸収性が高められる。ミッドソール９の発泡倍率は、アウトソール７の材質、アウトソール７の厚さ、ミッドソール９自身の厚さ等が考慮されて決定される。ミッドソール９の発泡倍率は、通常、１．５倍から１０倍程度とされる。
【００２６】
ミッドソール９の硬度は、デュロメーターＡ硬度（ＪＩＳ−Ｋ６２５３）で３０以上が好ましく、４０以上がより好ましい。硬度が低すぎると、着用者の歩行にふらつき感を生じるおそれがある。また硬度が高すぎると、クッション性が不足しやすい。この観点からミッドソール９の硬度は、８０以下が好ましく、７０以下がより好ましい。  
【００２７】
図４が示すように、補強部材１１は、露出部１１ａと非露出部１１ｂとを有する。露出部１１ａは、外部に露出している。非露出部１１ｂは、外部に露出していない。非露出部１１ｂは、補強部材１１の前側の縁部と、補強部材１１の後側の縁部とに設けられている。後述される２本のリブは、露出部１１ａに設けられている。
【００２８】
図７及び図８が示すように、非露出部１１ｂは、アウトソール７とミッドソール９とに挟まれている。非露出部１１ｂの上面がミッドソール９の下面に接着されている。非露出部１１ｂの下面がアウトソール７の上面に接着されている。アウトソール７とミッドソール９とで挟まれた部分を有する補強部材１１は、靴底３から外れにくい。
【００２９】
補強部材１１は、着脱可能な鋲１７を有している。また補強部材１１は、鋲１７を取り付けるための台座１８を有している（図５参照）。台座１８は、ねじ穴１８ａを有している。鋲１７は、台座１８にねじ込まれて、固定される。この鋲１７は、突起１５よりも下方に突出している。本実施形態では、１個の鋲１７が設けられている。
【００３０】
図３が示すように、補強部材１１は、突起１９を有している。突起１９は、鋲１７の近傍に設けられている。突起１９は、下方に向かって突出している。突起１９は、靴１の防滑性能を高める。
【００３１】
本実施形態の靴１において、アウトソール７とミッドソール９と補強部材１１とは、それぞれ別個に成形されている。靴１では、アウトソール７とミッドソール９とが、接着剤により接着されている。なお、アウトソール７とミッドソール９とが加硫接着されていてもよい。アウトソール７とミッドソール９とが融着していてもよい。
【００３２】
図６及び図８が示すように、補強部材１１の上面は、ミッドソール９の下面に接触している。補強部材１１の上面とミッドソール９の下面とが接合されている。この接合には、接着剤が用いられている。
【００３３】
図３及び図４が示すように、補強部材１１は、インサイド踵側からアウトサイドつま先側に向かって延びる第一リブＲ１と、アウトサイド踵側からインサイドつま先側に向かって延びる第二リブＲ２とを有する。リブとは、筋状の突出部である。理解を容易とする目的で、図４において、第一リブＲ１及び第二リブＲ２が、波線ハッチングで示されている。
【００３４】
第一リブＲ１と第二リブＲ２とは、交差部Ｋにおいて交差している。交差部Ｋにおいて、第一リブＲ１の突出高さは、第二リブＲ２の突出高さよりも高い。よって交差部Ｋにおいて、第一リブＲ１の輪郭線は存在するが、第二リブＲ２の輪郭線は存在しない。
【００３５】
第一リブＲ１には、２本の溝ｍ１が設けられている。溝ｍ１は、第一リブＲ１の長手方向に略沿って設けられている。図６が示すように、溝ｍ１は、補強部材１１の上面に設けられている。溝ｍ１の断面は略Ｖ字型である。補強部材１１が透明性を有するため、溝ｍ１により形成された稜線及び谷線が、図３及び図４に示されている。
【００３６】
第二リブＲ２には、１本の溝ｍ２が設けられている。溝ｍ２は、第二リブＲ２の長手方向に略沿って設けられている。溝ｍ２は、補強部材１１の上面に設けられている。溝ｍ２の断面は略Ｖ字型である。補強部材１１が透明性を有するため、溝ｍ２により形成された線が、図３及び図４に示されている。
【００３７】
溝ｍ２は、途中で分断されている。溝ｍ２は、交差部Ｋにおいて分断されている。溝ｍ１は、途中で分断されていない。溝ｍ１は、交差部Ｋにおいて分断されていない。
【００３８】
第一リブＲ１の幅Ｗ１は、踵側ほど小さくされている。第一リブＲ１の幅Ｗ１は、インサイドほど小さくされている。第二リブＲ２において、第二リブＲ２の幅Ｗ２がアウトサイドほど大きくなる部分は、第二リブＲ２の長さの半分以上を占めている。
【００３９】
第一リブＲ１は、第二リブＲ２よりも太い。図３に示す平面図において、第一リブＲ１の幅Ｗ１の最大値は、第二リブＲ２の幅Ｗ２の最大値よりも大きい。幅Ｗ１の平均値は、幅Ｗ２の平均値よりも大きい。
【００４０】
交差部Ｋよりも前側の領域における幅Ｗ２の最大値は、交差部Ｋよりも前側の領域における幅Ｗ１の最小値よりも小さい。
【００４１】
第一リブＲ１は、つま先側端Ｍ１と、後端Ｔ１とを有する。第二リブＲ２は、つま先側端Ｍ２と、後端Ｔ２とを有する。
【００４２】
第一リブＲ１が第二リブＲ２よりも太いことにより、スイングが安定しやすい。以下に、この作用についての説明がなされる。
【００４３】
ここでは、右利きのゴルファーの場合が説明される。
【００４４】
先ず、右足の動きが考察される。バックスイングの際に、右側へのスウェイが起こりやすい。この「右側」とは、スイングしているゴルファーにとっての右側である。スウェイとは、横方向への体のふらつきを意味する。スウェイにより、スイングの安定性が阻害されやすい。右側へのスウェイにより、スイングの効率が低下しうる。この効率の低下により、ヘッドスピードが減少しうる。右側へのスウェイは、ミスショットの原因となりうる。
【００４５】
右側へのスウェイを抑制するためには、バックスイングの間、右足は、動かないか、又は、体の内側（スイングするゴルファーの左側）に少し倒れるのが理想である。この右足の動きにより、スウェイが抑制される。逆に、バックスイングにおいて、右足が体の外側方向に倒れた場合、スウェイが発生しやすい。
【００４６】
このように、バックスイングにおけるスウェイを抑制する観点から、右足が体の外側に倒れにくくするのが好ましい。この観点から、右足用の靴１における靴底３のねじれ剛性は、以下のねじれ剛性Ｂが、ねじれ剛性Ａよりも大きいのが好ましい。
［ねじれ剛性Ａ］靴底３の踵部が、靴底３のつま先部に対してインサイドに回転するときのねじれ剛性。
［ねじれ剛性Ｂ］靴底３の踵部が、靴底３のつま先部に対してアウトサイドに回転するときのねじれ剛性。
【００４７】
ただし、「インサイドへの回転」とは、右足用の靴１の場合、踵側から見たときの反時計回りの回転を意味する。左足用の靴１の場合、「インサイドへの回転」とは、踵側から見たときの時計回りの回転を意味する。「アウトサイドへの回転」とは、右足用の靴１の場合、踵側から見たときの時計回りの回転を意味する。左足用の靴１の場合、「アウトサイドへの回転」とは、踵側から見たときの反時計回りの回転を意味する。
【００４８】
また、［ねじれ剛性Ａ］及び［ねじれ剛性Ｂ］の定義において、「靴底３の踵部」とは、補強部材１１よりも踵側の部分を意味し、「靴底３のつま先部」とは、補強部材１１よりもつま先側の部分を意味する。
【００４９】
次に、インパクトにおける右足の動きが考察される。インパクトでは、右足が体の内側に倒れ込み、「蹴り」がなされるのが好ましい。この「右足による蹴り」により、体の力がスイングに効率よく変換されうる。この「右足による蹴り」に起因して、ヘッドスピードが向上しうる。
【００５０】
右利きゴルファーの「右足による蹴り」が円滑になされるためには、右足が体の内側に倒れ込む必要がある。この倒れ込みがなされるためには、ねじれ剛性Ａがねじれ剛性Ｂよりも小さいのが好ましい。右利きゴルファーの「左足による踏ん張り」が円滑になされるためには、左足が体の内側に倒れ込むのが好ましい。この倒れ込みがなされるためには、ねじれ剛性Ａがねじれ剛性Ｂよりも小さいのが好ましい。
【００５１】
補強部材１１のねじれ剛性が全体的に高すぎると、ねじれ剛性Ａが過度に高くなり、「右足による蹴り」が円滑になされにくい。互いに交差するリブＲ１及びリブＲ２を設けることにより、ねじれ剛性Ａが過大となることが抑制され、且つ、ねじれ剛性Ａをねじれ剛性Ｂよりも小さくすることができる。
【００５２】
次に、左足の動きが考察される。トップからインパクトまでの間、左側へのスウェイが起こりやすい。この「左側」とは、スイングしているゴルファーにとっての左側である。このスウェイにより、スイングの安定性が阻害されやすい。左側へのスウェイは、スイングの効率を低下させうる。この効率の低下により、ヘッドスピードが低下しうる。左側へのスウェイは、ミスショットの原因となりうる。
【００５３】
左側へのスウェイを抑制するためには、トップからインパクトまでの間、左足は、動かないのが理想である。よって、トップからインパクトまでの間、左足には、体の内側に向かう力が作用するのがよい。この体の内側への力により、スウェイが抑制される。しかし、一般的なゴルファーでは、左足が外側に倒れて、スウェイが発生しやすい。また、一般的なゴルファーでは、左足が固定されず、ねじれることがある。
【００５４】
左足が外側（左側）に倒れる場合、左足の靴底３の踵部が、靴底３のつま先部に対してアウトサイドに回転する。左足を安定させ、スウェイを抑制するためには、左足用の靴１において、ねじれ剛性Ｂが、ねじれ剛性Ａよりも大きいのが好ましい。
【００５５】
右利きゴルファーの場合について説明がされたが、左利きゴルファーの場合、左右の足の役割が入れ替わるだけである。本発明は、左利きゴルファーにも有効である。
【００５６】
以上に説明したように、スイングを安定させるための好ましいねじれ剛性は、左足用の靴１と右足用の靴１とで共通であることが判明した。即ち、右足用及び左足用のいずれも、ねじれ剛性Ａがねじれ剛性Ｂよりも小さいのがよい。
【００５７】
第一リブＲ１を第二リブＲ２より太くすることにより、ねじれ剛性Ａがねじれ剛性Ｂよりも小さくなる。第一リブＲ１及び第二リブＲ２は、その圧縮方向よりも、その伸長方向において、ねじれ剛性の向上に寄与していると考えられる。
【００５８】
第一リブＲ１のつま先側端Ｍ１は、第二リブＲ２のつま先側端Ｍ２よりも前側（つま先側）に位置している（図４参照）。この構成は、ねじれ剛性Ａをねじれ剛性Ｂよりも小さくするのに寄与している。
【００５９】
ねじれ剛性Ａをねじれ剛性Ｂよりも小さくする観点から、次の（ａ）が満たされるのが好ましい。
（ａ）第一リブＲ１の体積がＶａとされ、第二リブＲ２の体積がＶｂとされ、第一リブＲ１の長さ（最大値）がＬａとされ、第二リブＲ２の長さ（最大値）がＬｂとされたとき、以下の関係式（１）を満たす。
［Ｖａ／Ｌａ］＞［Ｖｂ／Ｌｂ］    ・・・（１）
【００６０】
長さＬａ及び長さＬｂが、図４に示される。長さＬａは、つま先側端Ｍ１と後端Ｔ１との間の距離である。長さＬｂは、つま先側端Ｍ２と後端Ｔ２との間の距離である。なお、交差部Ｋの体積は、体積Ｖａ及び体積Ｖｂのいずれにも含まれるものとする。
【００６１】
ねじれ剛性Ａをねじれ剛性Ｂよりも小さくする観点から、第一リブＲ１の断面積の最大値Ｓａは、第二リブＲ２の断面積の最大値Ｓｂよりも大きいのが好ましい。なお断面積Ｓａ及び断面積Ｓｂは、リブの長手方向に対して垂直な平面による断面積である。
【００６２】
ねじれ剛性Ａをねじれ剛性Ｂよりも小さくする観点から、第一リブＲ１の体積Ｖａは、第二リブＲ２の体積Ｖｂよりも大きいのが好ましい。
【００６３】
ねじれ剛性Ａをねじれ剛性Ｂよりも小さくする観点から、長さＬａは長さＬｂよりも大きいのが好ましい。
【００６４】
ねじれ剛性Ａをねじれ剛性Ｂよりも小さくする観点から、上記交差部Ｋにおいて、第一リブＲ１の突出高さは、第二リブＲ２の突出高さよりも高いのが好ましい。この構成により、交差部Ｋにおけるリブの効果は、第二リブＲ２よりも第一リブＲ１のほうが大きい。この交差部Ｋの構成により、ねじれ剛性Ａがねじれ剛性Ｂよりも小さくなりやすい。
【００６５】
ねじれ剛性Ａをねじれ剛性Ｂよりも小さくする観点から、交差部Ｋよりも前側の領域における幅Ｗ２の最大値は、交差部Ｋよりも前側の領域における幅Ｗ１の最小値よりも小さいのが好ましい。
【００６６】
補強部材１１は、靴底３のインサイドの側面に配置されたインサイド補強部２１と、靴底３のアウトサイドの側面に配置されたアウトサイド補強部２３とを有する。
【００６７】
インサイド補強部２１は、ミッドソール９のインサイドの側面の一部を覆っている。更にインサイド補強部２１は、アッパー５のインサイドの側面の一部を覆っている。換言すれば、インサイド補強部２１は、アッパー５のインサイドに存在している。
【００６８】
インサイド補強部２１は、第一リブＲ１のインサイドの端から上方に向かって延在している。インサイド補強部２１は、第一リブＲ１の後端Ｔ１の上方に存在している（図２参照）。
【００６９】
アウトサイド補強部２３は、ミッドソール９のアウトサイドの側面の一部を覆っている。更にアウトサイド補強部２３は、アッパー５のアウトサイドの側面の一部を覆っている。換言すれば、アウトサイド補強部２３は、アッパー５のアウトサイドに存在している。
【００７０】
アウトサイド補強部２３は、第二リブＲ２のアウトサイドの端から上方に向かって延在している。アウトサイド補強部２３は、第二リブＲ２の後端Ｔ２の上方に存在している（図１参照）。
【００７１】
アウトサイド補強部２３とアッパー５との接触面積がＳ１とされ、インサイド補強部２１とアッパー５との接触面積がＳ２とされるとき、Ｓ１がＳ２よりも大きい。Ｓ１＞Ｓ２とされることにより、足が体の内側方向に倒れやすい。Ｓ１＞Ｓ２とされることにより、足が体の外側方向に倒れにくい。Ｓ１＞Ｓ２とされることにより、スイングが安定しやすい。
【００７２】
図２において符号Ｘ１で示されているのは、インサイド補強部２１の後端点である。後端点Ｘ１は、第一リブＲ１の後端Ｔ１よりも後側（踵側）に位置している。この構成により、足の踵付近が安定しやすい。この構成により、補強部材１１に起因する靴１の安定性が向上し、スイングが安定しうる。
【００７３】
交差部Ｋよりもインサイドの領域において、補強部材１１は、第一リブＲ１と第二リブＲ２との間に延びる延在部２５を有する（図３及び図４参照）。この延在部２５により、靴１の安定性が向上し、スイングが安定しうる。
【００７４】
交差部Ｋよりもアウトサイドの領域において、補強部材１１は、第一リブＲ１と第二リブＲ２との間に延びる延在部２７を有する（図３及び図４参照）。この延在部２７により、靴１の安定性が向上し、スイングが安定しうる。
【００７５】
図１において符号Ｘ２で示されているのは、アウトサイド補強部２３の後端点である。後端点Ｘ２は、第二リブＲ２の後端Ｔ２よりも後側（踵側）に位置している。この構成により、足の踵付近が安定しやすい。この構成により、補強部材１１に起因する靴１の安定性が向上し、スイングが安定しうる。
【００７６】
補強部材１１の材質は限定されない。 好ましくは、補強部材１１は、無発泡体である。補強部材１１は、ミッドソール９の変形を抑制し、靴１の安定性を高める。
【００７７】
剛性及び成形性の観点から、補強部材１１の材質として、熱可塑性樹脂、熱可塑性エラストマー又はＥＶＡが好ましい。剛性、成形性及び経済性の観点から、熱可塑性エラストマーがより好ましい。好ましい熱可塑性エラストマーは、ハードセグメントとソフトセグメントとを有する。この熱可塑性エラストマーとして  スチレンブタジエン系熱可塑性エラストマー（ＴＰＳ）、オレフィン系熱可塑性エラストマー（ＴＰＯ）、ポリエステル系熱可塑性エラストマー（ＴＰＥＥ）及びポリウレタン系熱可塑性エラストマー（ＴＰＵ）が例示される。  
【００７８】
補強部材１１のより好ましい材質は、ＴＰＵである。ＴＰＵは、剛性、成形性及び経済性に優れる。本発明では、補強部材１１のねじれ剛性が高すぎても低すぎても好ましくない。ＴＰＵは、補強部材１１のねじれ剛性を適度に設定するのに適している。
【００７９】
ＴＰＵの具体例として、バイエル社製の商品名「ＵＴＣ−９５」、ＢＡＳＦジャパン社の商品名「ＸＮＹ５８５」、「ＥＴ６９０」及び「ＥＴ５９０」が例示される。
【００８０】
スイングの安定性の観点から、補強部材１１の硬度は、アウトソール７の硬度よりも高いことが好ましい。補強部材１１のデュロメーターＡ硬度（ＪＩＳ−Ｋ６２５３）は、９０以上であることが好ましい。補強部材１１の硬度が低い場合、靴底３のねじれ剛性が不足し、安定性が不足する場合がある。補強部材１１の硬度が高すぎると、靴底３のねじれ剛性が高すぎて、スイングしにくい。この観点から補強部材１１のデュロメーターＡ硬度は、１００以下が好ましく、９９以下がより好ましく、９５以下が特に好ましい。
【００８１】
上記デュロメーターＡ硬度と同様の観点から、補強部材１１のショアＤ硬度は、５０以下が好ましく、４５以下がより好ましく、４２以下が特に好ましい。ショアＤ硬度は、「ＡＳＴＭ−Ｄ  ２２４０−６８」の規定に準拠して、自動ゴム硬度測定装置（高分子計器社の商品名「Ｐ１」）に取り付けられたショアＤ型のスプリング式硬度計によって測定される。測定には、熱プレスで成形された、厚みが約２ｍｍであるスラブが用いられる。２３℃の温度下に２週間保管されたスラブが、測定に用いられる。測定時には、３枚のスラブが重ね合わされる。補強部材１１と同一の組成物からなるスラブが、測定に用いられる。
【００８２】
本発明は、左右の靴の少なくとも一方に適用されうる。好ましくは、本発明は、左右の靴の両方に適用される。前述の通り、左右の靴のいずれについても、本発明は有効である。
【産業上の利用可能性】
【００８３】
本発明は、ゴルフ靴に適用されうる。
【図面の簡単な説明】
【００８４】
【図１】図１は、本発明の一実施形態に係る靴をアウトサイドから見た図である。
【図２】図２は、本発明の一実施形態に係る靴をインサイドから見た図である。
【図３】図３は、図１の靴の接地面を示す図である。
【図４】図４は、図１の靴に用いられている補強部材を示す図である。
【図５】図５は、図３のＶ−Ｖ線に沿った断面図である。
【図６】図６は、図３のVI−VI線に沿った断面図である。
【図７】図７は、図３のVII−VII線に沿った断面図である。
【図８】図８は、図３のVIII−VIII線に沿った断面図である。
【符号の説明】
【００８５】
１・・・靴
３・・・靴底
５・・・アッパー
７・・・アウトソール
９・・・ミッドソール
１１・・・補強部材
１３・・・アウトソールの鋲
１５・・・アウトソールの突起
１７・・・補強部材の鋲
１９・・・補強部材の突起
２１・・・インサイド補強部
２３・・・アウトサイド補強部
２５・・・第一リブと第二リブとの間に延びる延在部
２７・・・第一リブと第二リブとの間に延びる延在部
Ｒ１・・・第一リブ
Ｒ２・・・第二リブ
ｍ１・・・第一リブに設けられた溝
ｍ２・・・第二リブに設けられた溝
Ｔ１・・・第一リブの後端
Ｔ２・・・第二リブの後端
【図１】
2010094354.tif 000003
【図２】
2010094354.tif 000004
【図３】
2010094354.tif 000005
【図４】
2010094354.tif 000006
【図５】
2010094354.tif 000007
【図６】
2010094354.tif 000008
【図７】
2010094354.tif 000009
【図８】
2010094354.tif 000010